(57)【要約】  本発明は、ナビゲーション技術に関し、特に、ナビゲーション情報を提供するための方法、並びに、当該方法を実施する装置及びコンピュータ記憶媒体に関する。本発明の一態様によるナビゲーション情報を提供するための方法は、ナビゲーション対象物の方向角及び位置と参照対象物の位置とに基づいて、アイコンエリアを生成するステップを含み、アイコンエリアは、電子地図と組み合わせて使用するように適合させられており、かつ、ナビゲーション対象物に関連付けられた第１のアイコンと、参照対象物に関連付けられた第２のアイコンとを含み、参照対象物は、電子地図の現在の表示領域の内側又は外側に位置付けられ、第１のアイコンと第２のアイコンとの相対的な位置関係は、ナビゲーション対象物と参照対象物との相対的な位置関係に対応する。
2021516344.tif 000002
【特許請求の範囲】
【請求項１】
ナビゲーション情報を提供するための方法であって、ナビゲーション対象物の方向角及び位置と参照対象物の位置とに基づいて、アイコンエリアを生成するステップを含み、前記アイコンエリアは、電子地図と組み合わせて使用するように適合させられており、かつ、前記ナビゲーション対象物に関連付けられた第１のアイコンと、前記参照対象物に関連付けられた第２のアイコンとを含み、前記参照対象物は、前記電子地図の現在の表示領域の内側又は外側に位置付けられ、前記第１のアイコンと前記第２のアイコンとの相対的な位置関係は、前記ナビゲーション対象物と前記参照対象物との相対的な位置関係に対応する、方法。
【請求項２】
前記アイコンエリアは、前記電子地図の現在の表示領域の上に重ね合わせられ、又は、前記電子地図の現在の表示領域とは離隔して配置され、前記ナビゲーション対象物と前記参照対象物との相対的な位置関係は、前記ナビゲーション対象物の前記参照対象物に対する方向又は距離を含み、前記第１のアイコンは、前記電子地図上の前記ナビゲーション対象物の現在の位置及び方向を指示する、請求項１に記載の方法。
【請求項３】
前記アイコンエリア上の前記第１のアイコンにより指示される位置及び方向が変化しないように保持され、これにより、前記ナビゲーション対象物の方向角又は位置に変化が生じたときに、前記アイコンエリア上の前記第２のアイコンの位置に前記変化を反映させるようにする、請求項１に記載の方法。
【請求項４】
前記方向角は、電子機器上に配設された磁場測定素子を利用して取得され、前記電子機器及び参照対象物の位置は、前記電子機器上で動作する電子地図プログラムを利用して取得され、前記方向角は、前記電子機器の所定の部分によって指示される方向に対応する、請求項１に記載の方法。
【請求項５】
前記第１のアイコンは、前記アイコンエリアの中心に固定され、かつ、矢印の形状であり、前記矢印の方向は、前記方向角を指示し、前記アイコンエリアは、前記第１のアイコンを中心とする１つ以上のグラフィックを含み、各前記グラフィックは、車両の異なるエネルギーレベルに対応し、前記第２のアイコンは、複数の参照対象物の位置を指示する複数のアイコンを含み、前記複数のアイコンは、対応する参照対象物に到達するために前記車両が必要とするエネルギーレベルに応じて、対応するグラフィック上に配置される、請求項１に記載の方法。
【請求項６】
電子機器であって、メモリと、プロセッサと、前記メモリに記憶されかつ前記プロセッサ上で動作するコンピュータプログラムと、を備え、前記コンピュータプログラムに、ナビゲーション対象物の方向角及び位置と参照対象物の位置とに基づいて、アイコンエリアを生成するステップを実行させる電子機器であって、前記アイコンエリアは、電子地図と組み合わせて使用するように適合させられており、かつ、前記ナビゲーション対象物に関連付けられた第１のアイコンと、前記参照対象物に関連付けられた第２のアイコンとを含み、前記参照対象物は、前記電子地図の現在の表示領域の内側又は外側に位置付けられ、前記第１のアイコンと前記第２のアイコンとの相対的な位置関係は、前記ナビゲーション対象物と前記参照対象物との相対的な位置関係に対応する、電子機器。
【請求項７】
前記アイコンエリアは、前記電子地図の現在の表示領域の上に重ね合わせられ、又は、前記電子地図の現在の表示領域とは離隔して配置され、前記ナビゲーション対象物と前記参照対象物との相対的な位置関係は、前記ナビゲーション対象物の前記参照対象物に対する方向又は距離を含み、前記第１のアイコンは、前記電子地図上の前記ナビゲーション対象物の現在の位置及び方向を指示する、請求項６に記載の電子機器。
【請求項８】
前記電子機器は、スマートフォン、タブレットコンピュータ、ナビゲーション機器及びパーソナルデジタルアシスタントのうちの１つであり、前記電子機器上に配設された磁場測定素子を利用して、前記方向角を取得し、前記電子機器上で動作する電子地図プログラムを利用して、前記電子機器及び参照対象物の位置を取得し、前記方向角は、前記電子機器の所定の部分によって指示される方向に対応する、請求項６に記載の電子機器。
【請求項９】
前記第１のアイコンは、前記アイコンエリアの中心に固定され、かつ、矢印の形状であり、前記矢印の方向は、前記方向角を指示し、前記アイコンエリアは、前記第１のアイコンを中心とする１つ以上のグラフィックを含み、各前記グラフィックは、車両の異なるエネルギーレベルに対応し、前記第２のアイコンは、複数の参照対象物の位置を指示する複数のアイコンを含み、前記複数のアイコンは、対応する参照対象物に到達するために前記車両が必要とするエネルギーレベルに応じて、対応するグラフィック上に配置される、請求項６に記載の電子機器。
【請求項１０】
ナビゲーション情報を提供するための装置であって、ナビゲーション対象物の方向角及び位置と参照対象物の位置とに基づいて、アイコンエリアを生成するためのアイコンエリア生成モジュールを備え、前記アイコンエリアは、前記ナビゲーション対象物に関連付けられた第１のアイコンと、前記参照対象物に関連付けられた第２のアイコンとを含み、前記第１のアイコンと前記第２のアイコンとの相対的な位置関係は、前記ナビゲーション対象物と前記参照対象物との相対的な位置関係に対応する、装置。
【請求項１１】
コンピュータプログラムを内部に記憶しているコンピュータ可読記憶媒体であって、前記コンピュータプログラムは、プロセッサによって実行されるときに、請求項１乃至５のいずれか一項に記載の方法を実現する、コンピュータ可読記憶媒体。
【発明の詳細な説明】
【技術分野】
【０００１】
本発明は、ナビゲーション技術に関し、特に、ナビゲーション情報を提供するための方法、並びに、当該方法を実施する装置及びコンピュータ記憶媒体に関する。
【背景技術】
【０００２】
背景技術
位置に基づくサービス（ＬＢＳ）の出現に伴い、電子地図の使用がより一般的になってきている。電子地図アプリケーションプログラム（ＡＰＰ）をポータブル電子機器（例えば、スマートフォン及びタブレットコンピュータなど）にインストールして、位置情報、ナビゲーションサービス及びその他の派生サービスを動的かつリアルタイムにユーザに提供することができる。
【０００３】
現在一般に使用されている電子地図ＡＰＰとしては、例えば、Ｂａｉｄｕマップ、Ｇｏｏｇｌｅマップ及びＧａｏｄｅマップなどが挙げられ、これらの地図は、通常、ＧＰＳ信号に基づいてユーザの位置を特定し、その位置及び参照物（例えば、建物、街路、道路、橋及び川など）を電子地図にマークする。さらに、電子地図は、一般にズーム機能を提供し、対応する地図情報を異なる縮尺でユーザに提供する。ユーザは、ズーム機能を利用して、電子地図上で対応する参照対象物を見出し、これにより、参照対象物との相対的な位置（例えば、距離及び方向）を特定することができる。
【発明の概要】
【発明が解決しようとする課題】
【０００４】
ただし、同一の縮尺の電子地図上に表示されない参照対象物が複数ある場合があるので、ユーザは、ズーム機能を頻繁に使用する必要があり、結果的にユーザ体験が低下する。さらに、既存の電子地図は、通常、方向情報と距離情報とをうまく統合することができない。
【課題を解決するための手段】
【０００５】
発明の概要
本発明の目的は、ナビゲーション情報を提供するための方法を提供することにあり、当該方法は、ユーザの位置情報及び方向情報と参照対象物の位置情報とを一体的に統合することができる、という利点を有する。
【０００６】
本発明の一態様によるナビゲーション情報を提供するための方法は、ナビゲーション対象物の方向角及び位置と参照対象物の位置とに基づいて、アイコンエリアを生成するステップを含み、アイコンエリアは、電子地図と組み合わせて使用するように適合させられており、かつ、ナビゲーション対象物に関連付けられた第１のアイコンと、照対象物に関連付けられた第２のアイコンとを含み、参照対象物は、電子地図の現在の表示領域の内側又は外側に位置付けられ、第１のアイコンと第２のアイコンとの相対的な位置関係は、ナビゲーション対象物と参照対象物との相対的な位置関係に対応する。
【０００７】
好ましくは、上述した方法においては、アイコンエリアは、電子地図の現在の表示領域の上に重ね合わせられ、又は、電子地図の現在の表示領域とは離隔して配置され、ナビゲーション対象物と参照対象物との相対的な位置関係は、ナビゲーション対象物の参照対象物に対する方向又は距離を含み、第１のアイコンは、電子地図上のナビゲーション対象物の現在の位置及び方向を指示する。
【０００８】
好ましくは、上述した方法においては、アイコンエリア上の第１のアイコンにより指示される位置及び方向は、変化しないように保持され、これにより、ナビゲーション対象物の方向角又は位置に変化が生じたときに、アイコンエリア上の第２のアイコンの位置に当該変化を反映させるようにする。
【０００９】
好ましくは、上述した方法においては、方向角は、電子機器上に配設された磁場測定素子を利用して取得され、電子機器及び参照対象物の位置は、電子機器上で動作する電子地図プログラムを利用して取得され、方向角は、電子機器の所定の部分によって指示される方向に対応する。
【００１０】
好ましくは、上述した方法においては、第１のアイコンは、アイコンエリアの中心に固定され、かつ、矢印の形状であり、矢印の方向は、方向角を指示し、アイコンエリアは、第１のアイコンを中心とする１つ以上のグラフィックを含み、各グラフィックは、車両の異なるエネルギーレベルに対応し、第２のアイコンは、複数の参照対象物の位置を指示する複数のアイコンを含み、複数のアイコンは、対応する参照対象物に到達するために車両が必要とするエネルギーレベルに応じて、対応するグラフィック上に配置される。
【００１１】
本発明の他の目的は、電子機器を提供するための方法を提供することにあり、電子機器は、ナビゲーション情報を提供するときに、ユーザの位置情報及び方向情報と参照対象物の位置情報とを一体的に統合することができる、という利点を有する。
【００１２】
本発明の他の態様による電子機器は、メモリと、プロセッサと、メモリに記憶されかつプロセッサ上で動作するコンピュータプログラムと、を備え、コンピュータプログラムに、ナビゲーション対象物の方向角及び位置と参照対象物の位置とに基づいて、アイコンエリアを生成するステップを実行させ、アイコンエリアは、電子地図と組み合わせて使用するように適合させられており、かつ、ナビゲーション対象物に関連付けられた第１のアイコンと、参照対象物に関連付けられた第２のアイコンとを含み、参照対象物は、電子地図の現在の表示領域の内側又は外側に位置付けられ、第１のアイコンと第２のアイコンとの相対的な位置関係は、ナビゲーション対象物と参照対象物との相対的な位置関係に対応する。
【００１３】
本発明のさらなる目的は、ナビゲーション情報を提供するための装置を提供することにあり、装置は、ユーザの位置情報及び方向情報と参照対象物の位置情報とを一体的に統合することができる、という利点を有する。
【００１４】
本発明の他の一態様によるナビゲーション情報を提供するための装置は、ナビゲーション対象物の方向角及び位置と参照対象物の位置とに基づいて、アイコンエリアを生成するためのアイコンエリア生成モジュールを備え、アイコンエリアは、ナビゲーション対象物に関連付けられた第１のアイコンと、参照対象物に関連付けられた第２のアイコンとを含み、第１のアイコンと第２のアイコンとの相対的な位置関係は、前記ナビゲーション対象物と参照対象物との相対的な位置関係に対応する。
【００１５】
本発明は、コンピュータプログラムが内部に記憶されたコンピュータ可読記憶媒体をさらに提供し、当該コンピュータプログラムは、プロセッサによって実行されるときに、上述したような方法を実現する。
【００１６】
本発明の上述した各態様においては、第１のアイコンの位置は、ユーザ又は電子機器の位置であり、第１のアイコンの方向は、ユーザの周辺環境の観察方向である。第１のアイコンが常にアイコンエリア上の中心にあり、かつ、このように第１のアイコンの指示方向が変化しないように保持される情報提示方式は、周辺環境を観察するという人間の習慣に合致しており、従って、ナビゲーション情報を使用するときのユーザ体験を大きく向上させることができる。
【００１７】
本発明の上述の及び／又は他の態様及び利点は、以下の各態様の説明を添付の図面と併せて参照することによって、より明確かつより容易に理解することができるようになる。図面中の同一又は類似の要素は、同一の参照符号により示されている。
【図面の簡単な説明】
【００１８】
【図１Ａ】電子機器のディスプレイ上に表示するように適合させられた例示的な電子コンパスの概略図であり、ナビゲーション対象物が異なる方向を向いており又は異なる方向角を有しているときの対応するナビゲーション画面を示している。
【図１Ｂ】電子機器のディスプレイ上に表示するように適合させられた例示的な電子コンパスの概略図であり、ナビゲーション対象物が異なる方向を向いており又は異なる方向角を有しているときの対応するナビゲーション画面を示している。
【図１Ｃ】電子機器のディスプレイ上に表示するように適合させられた例示的な電子コンパスの概略図であり、ナビゲーション対象物が異なる方向を向いており又は異なる方向角を有しているときの対応するナビゲーション画面を示している。
【図１Ｄ】電子機器のディスプレイ上に表示するように適合させられた他の例示的な電子コンパスの概略図である。
【図２】本発明の一実施例によるナビゲーション情報を提供するための方法のフローチャートである。
【図３】本発明の他の実施例によるナビゲーション情報を提供するための装置のブロック図である。
【図４】本発明の他の実施例による電子機器の概略ブロック図である。
【発明を実施するための形態】
【００１９】
発明を実施するための形態
以下、本発明の例示的な実施例が示された添付図面を参照して、本発明をより詳細に説明する。しかしながら、本発明は、異なる形態により実現することができ、本明細書において与えられる各実施例に限定されると解釈されるべきではない。上述した各実施例は、本発明の保護範囲が当業者により十分に伝達されるように、本明細書の開示を完全かつ包括的なものにすることを意図している。
【００２０】
本明細書において、「備える」及び「含む」などの用語は、明細書及び特許請求の範囲に直接的かつ明示的に記載されている構成要素及びステップを有することに加えて、本発明による技術的解決手段が、直接的又は明示的に記載されていない他の構成要素及びステップを有することを排除しないことも表している。
【００２１】
本明細書において、「第１」及び「第２」などの用語は、時間、空間、大きさなどに関する構成要素の順序を示すものではなく、単に各構成要素を区別しているに過ぎない。
【００２２】
本明細書において、「結合」とは、電気エネルギー又は電気信号が、２つのユニット間で直接的に送信される状況、又は、１つ以上の第３のユニットを通じて間接的に送達される状況を含むと理解されるべきである。
【００２３】
本発明の一態様によれば、ナビゲーション対象物の方向角及び位置と参照対象物の位置とに基づいて、アイコンエリアが生成される。生成されたアイコンエリアは、電子地図と組み合わせて使用するように適合させられており、かつ、第１のアイコンと第２のアイコンとを含み、第１のアイコンは、ナビゲーション対象物と関連付けられて、アイコンエリア上でナビゲーション対象物の位置及び方向を指示し、第２のアイコンは、参照対象物に関連付けられて、アイコンエリア上で参照対象物の位置を指示する。第２のアイコンに対応する参照対象物は、電子地図の現在の表示領域の内側に位置付けられるものとしてもよく、現在の表示領域の外側に位置付けられるものとしてもよい。さらに、アイコンエリア上の第１のアイコンと第２のアイコンとの相対的な位置関係（例えば、距離及び方位）は、物理空間内におけるナビゲーション対象物と参照対象物的との相対的な位置関係に対応する。
【００２４】
アイコンエリアと電子地図とを組み合わせて使用する方式としては、例えば、アイコンエリアを電子地図の現在の表示領域の上に重ね合わせること、及び、アイコンエリアを電子地図の現在の表示領域から離して位置付けることが挙げられるが、これらに限定されるものではない。
【００２５】
好ましくは、第１のアイコンは、電子地図上のナビゲーション対象物の現在の位置及び方向をさらに指示する。
【００２６】
従来技術においては、同一の縮尺で電子地図上に表示されない参照対象物が複数ある場合があり、ユーザがズーム機能を頻繁に使用しなければならないことが多いことに留意すべきである。本発明の上述した態様においては、電子地図表示領域の外側に位置付けられる参照対象物をアイコンエリア内に表示することができるので、頻繁なズーム操作が回避される。
【００２７】
好ましくは、アイコンエリア上の第１のアイコンにより指示される位置及び方向は、常に変化しないように保持される。例えば、ナビゲーション対象物を移動又は回転させたときに、アイコンエリア上の第１のアイコンの位置及び指示された方向は固定される。一方、第２のアイコンの位置には、ナビゲーション対象物の位置及び方向の変化を反映してアイコンエリア上の変化が生じる。
【００２８】
通常の状況においては、ユーザ又はナビゲーション対象物（例えば、車両）と電子機器とが密接に近接しており（例えば、電子機器がユーザの手に保持されている）、又は、さらには、電子機器自体がナビゲーション対象物である。この場合、第１のアイコン位置は、ユーザの位置であり、第１のアイコンの方向は、ユーザの周辺環境に対する観察方向である。従って、上述したように、第１のアイコンが常にアイコンエリア上の中心にあり、かつ、第１のアイコンの指示方向が変化しないように保持される情報提示方式は、周辺環境を観察するという人間の習慣に合致しており、これにより、ナビゲーション情報を使用するときのユーザ体験を大きく向上させることができる。
【００２９】
任意選択的に、アイコンエリア上の第１のアイコンにより指示される位置は常に変化しないように保持されるが、方向は、特定の方向（例えば、北又は南）を指示するように変化する。この場合、ナビゲーション対象物を移動又は回転させたときに、アイコンエリア上の第１のアイコンの位置は変化しないが、指示された方向は、ナビゲーション対象物の回転に応じて変化する。一方、アイコンエリア上の第２のアイコンの位置には、ナビゲーション対象物の位置及び方向の変化を反映して変化が生じる。
【００３０】
ここに記載する方向角とは、ナビゲーション対象物の所定の部分（例えば、車両、スマートフォン及びタブレットコンピュータなどの前面）が指す方向のことである。ここで記載する参照対象物とは、ユーザが物理的空間内において自分の位置の特定することを補助するための任意の対象物であるものとしてもよく、参照対象物の例としては、建物（例えば、駅、埠頭、空港、橋、オフィスビル及び住宅など）、自然のランドマーク（山、樹木及び池など）、並びに、ユーザに関連付けられた特定の位置（例えば、ユーザが住んでいる場所、ユーザが働いている場所、並びに、ユーザの家族及び友人の位置など）が挙げられるが、これらに限定されるものではない。
【００３１】
好ましくは、アイコンエリアは、電子コンパス又は羅針盤の方式を使用するものとしてもよく、第１のアイコンの位置は、電子コンパスの中心に固定され、かつ、矢印の形状であり、当該矢印の形状は、ナビゲーション対象物の方向角（即ち、ナビゲーション対象物の所定の部分が向いている方向でもある）を指示し、第２のアイコンは、電子コンパスの中心を円心とする円周上に位置付けられる。複数の参照対象物が存在する状況においては、対応する第２のアイコンを各参照対象物に対して１つ指定することができ、これらの第２のアイコンは、１つ以上の円周上に配置される。いくつかの用途においては、参照対象物とナビゲーション対象物との間の距離又は近接度を表示するために同心円を利用する方式は便利である。例えば、車両（電気的に、化学的に、又は、ハイブリッドエネルギー源などによって駆動される車両、例えば、電動スクータ、電動キックスクータ、電動二輪車を含むが、これらに限定されるものではない。）の走行距離又は走行能力は、これらの車両に貯蔵されたエネルギーのレベルに対応する関係を有する。従って、上述した同心円の利用により、これらの車両の航続可能範囲及び航続不可能範囲をグラフィック方式により視覚的に表示することができる。
【００３２】
なお、上述したアイコンエリアは、航続可能範囲と航続不可能範囲とを区別するために円形を使用しているが、その他の形状のグラフィック、例えば、長方形、楕円形、三角形などの規則的な形状、及び、不規則な形状などによっても区別することができることに留意すべきである。都市道路は、不規則であるので、不規則なグラフィックを利用して航続可能範囲と航続不可能範囲とを区別することが、より良好な実用性を有する。
【００３３】
図１Ａ乃至図１Ｃは、電子機器のディスプレイ上に表示するように適合させられた例示的な電子コンパスの概略図であり、ナビゲーション対象物が異なる方向を向いており又は異なる方向角を有しているときの対応するナビゲーション画面を示している。図１Ａ乃至図１Ｃにおいて、電子コンパスは、例えば、独立したグラフィック層として電子地図内で重なり合っており、電子コンパスの中心に位置付けられる矢印状のアイコンＴは、第１のアイコンであり、Ｌ１乃至Ｌ６は、参照対象物を表示する第２のアイコンであり、帯状の領域は、電子地図があるグラフィック層に属しており、電子地図内の道路を表示する。以下の説明においては、説明を容易にするために、Ｔは、第１のアイコン及びナビゲーション対象物を参照するために無差別に使用され、Ｌ１乃至Ｌ６のうちの任意の１つは、第２のアイコンの１つ及び対応する参照対象物を参照するために無差別に使用される。図１Ａ乃至図１Ｃを参照して、例示的に、図中に示された電子コンパスは、電子コンパスの中心を円心とする２つの同心円周Ｃ１及びＣ２を含み、参照対象物Ｌ１乃至Ｌ４は、円周Ｃ１上に位置付けられ、参照対象物Ｌ５乃至Ｌ６は、円周Ｃ２上に位置付けられる。
【００３４】
例示的に、図１Ａ乃至図１Ｃの円周Ｃ１及びＣ２は、車両の航続可能範囲及び航続不可能範囲を示すためにそれぞれ使用される。従って、円周Ｃ１上に参照対象物Ｌ１乃至Ｌ４が配置されたときは、参照対象物Ｌ１乃至Ｌ４が航続可能範囲内にあることを指示するが、円周Ｃ２上に参照対象物Ｌ５乃至Ｌ６が配置されたときは、参照対象物Ｌ５乃至Ｌ６が航続不可能範囲にあることを指示する。
【００３５】
図１Ａに示す場合、第１のアイコンＴの矢印は、第２のアイコンＬ１に対向しており（即ち、ナビゲーション対象物の所定の部分（例えば、前端）は、参照対象物Ｌ１に対向している）、参照対象物Ｌ２及びＬ５は、第１のアイコンＴの右側に位置付けられ、参照対象物Ｌ３は、第１のアイコンＴの後方に位置付けられ、参照対象物Ｌ４及びＬ６は、第１のアイコンＴの左側に位置付けられる。ナビゲーション対象物の前端を反時計回りに斜めに回転させると、第１のアイコンＴは、依然として真正面（即ち、紙の真上）を指しているが、このときに参照対象物Ｌ２、Ｌ５及びＬ３は、第１のアイコンＴの右側に位置付けられ、参照対象物Ｌｌ、Ｌ６及びＬ４は、図１Ｂに示すように、第１のアイコンＴの左側に位置付けられる。ナビゲーション対象物の前端を反時計回りに９０度回転させると、第１のアイコンＴの矢印は、依然として真正面を指しており、参照対象物Ｌ２は、第１のアイコンＴの真正面に位置付けられ、参照対象物Ｌ４は、第１のアイコンＴの後方に位置付けられ、参照対象物Ｌ５及びＬ３は、第１のアイコンＴの右側に位置付けられ、参照対象物ＬＩ及びＬ６は、第１のアイコンＴの左側に位置付けられる。
【００３６】
図１Ａ乃至図１Ｃを通じて上述した例から分かるように、ナビゲーション対象物の方向角の変化にかかわらず、アイコン領域上の第１のアイコン又は電子コンパス上の位置及び指示方向は変化しないように保持され、変化するのは第２のアイコンの位置及び方向である。同様に、ナビゲーション対象物を移動させると、アイコンエリアの第１のアイコン又は電子コンパス上の位置及び指示方向は、依然として変化しないように保持されるが、アイコンエリアの第２のアイコンＬ１乃至Ｌ６又は電子コンパスの位置には変化が生じる。図１Ａを例にとると、例えば、ナビゲーション対象物が、図１Ａの位置から一定の距離だけ右方向に移動すると、電子コンパス上の参照対象物Ｌ１及びＬ３は、第１のアイコンＴの真正面及び後方からナビゲーション対象物の左側に移動し、かつ、第１のアイコンＴからの距離が増加し、基準対象物Ｌ４及びＬ６は、依然として第１のアイコンＴの左側に位置付けられ、かつ、第１のアイコンＴからの距離も同様に増加し、参照対象物Ｌ２及びＬ５は、依然として第１のアイコンＴの右側に位置付けられ、ただし、第１のアイコンＴからの距離は減少する。
【００３７】
図１Ｄは、電子機器のディスプレイ上に表示するように適合させられた他の例示的な電子コンパスの概略図である。図１Ｄにおいて、電子コンパス（図中中心に位置付けられた長方形）は、例えば、電子地図の表示領域の上に独立したグラフィック層として重ね合わせられ、矢印状の第１のアイコンＴは、電子コンパスの中心に位置付けられ、Ｌ１乃至Ｌ４は、参照対象物を表示する第２のアイコンであり、帯状の領域は、電子地図があるグラフィック層に属しており、電子地図内の道路を表示し、黒線分は、アイコンエリアがあるグラフィック層に属し、アイコン領域内の道路を表示する。
【００３８】
図２は、本発明の一実施例によるナビゲーション情報を提供するための方法のフローチャートである。例示的に、本実施例の方法は、スマートフォン上で動作するアプリケーションプログラム（以下、電子コンパスアプリケーションプログラムともいう）を通じて実現され、ナビゲーション対象物の近くに位置付けられるスマートフォンの特定の部分の指示方向をナビゲーション対象物の方向角とする。しかしながら、本実施例の方法の実施は、特定の構造を有する装置に限定されるものではなく、例えば、他のコンピューティング装置（例えば、タブレットコンピュータ、ナビゲーション機器及びパーソナルデジタルアシスタントなど）上で動作するアプリケーションプログラムを通じて実現することもできることに留意すべきである。
【００３９】
図２に示すように、まず、ステップ２０１において、電子機器に電源を入れて動作させる。
【００４０】
次に、ステップ２０３において、電子機器は、電子コンパスのアプリケーションプログラムが開始されたかどうかを判断し、開始された場合にはステップ２０５に進み、そうでない場合には待機を続ける。
【００４１】
ステップ２０５において、電子機器は、その方向角及びその位置を取得する。本実施例においては、方向角は、電子機器に配設された磁場測定素子を利用して取得するものとしてもよい。ナビゲーション対象物の位置は、様々な測位技術を利用して特定する（例えば、受信した衛星測位信号又はＷｉ−Ｆｉ信号に基づいて特定する）ことができる。好ましくは、ナビゲーション対象物の位置は、電子機器上で動作する電子地図プログラムを利用して取得するものとしてもよい。例示的には、電子コンパスアプリケーションプログラムは、電子装置の現在の位置を取得するための要求を電子地図プログラムに送信するものとしてもよく、その要求に応答して、電子地図アプリケーションプログラムは、測位機能モジュールによって取得された位置データを電子コンパスアプリケーションプログラムに返す。好ましくは、電子コンパスアプリケーションプログラムは、電子地図アプリケーションプログラムに統合するものとしてもよい。
【００４２】
次に、ステップ２０７に進み、電子機器は、参照対象物の位置を取得する。好ましくは、電子機器上で動作する電子地図プログラムは、参照対象物の位置を取得するために利用するものとしてもよい（これにより、ナビゲーション対象物と参照対象物の間の相対的な位置関係が特定される）。同様に、電子コンパスアプリケーションプログラムは、参照対象物の現在の位置を取得するための要求を電子地図プログラムに送信するものとしてもよく、その要求に応答して、電子地図アプリケーションプログラムは、参照対象物の位置データを電子コンパスアプリケーションプログラムに返す。本実施例においては、参照対象物は、ユーザによって予め設定されるものとしてもよく、リアルタイムで設定されるものとしてもよく、電子機器自体によって決定されるものとしてもよい（例えば、参照対象物の有意性などに基づいて）。
【００４３】
次いで、ステップ２０９に進み、電子機器は、ステップ２０５で得られたナビゲーション対象物の方向角及び位置と、ステップ２０７で得られた参照対象物の位置とに基づいて、電子機器上で表示するように適合させられたアイコンエリア又は電子コンパスを生成する。本実施例においては、生成されたアイコンエリアは、上述した様々な特徴及び形態を有する。特に、アイコンエリアは、ナビゲーション対象物に関連付けられた第１のアイコンと、参照対象物に関連付けられた第２のアイコンとを含み、第１のアイコンは、アイコンエリア上の固定された位置に位置付けられ、かつ、方向が変化しないように保持され、第２のアイコンの位置は、ナビゲーション対象物の方向角又は位置の変化に伴い、アイコンエリア上で位置の変化を示す。
【００４４】
次いで、ステップ２１１において、電子機器は、ステップ２０９で生成された電子コンパスをディスプレイ上に表示する。
【００４５】
その後、ステップ２１３に進み、電子機器は、最新のアイコンエリアが生成されてから所定の時間間隔が経過したかどうかを特定し、所定の時間間隔が経過した場合には、アイコンエリアをリアルタイムで更新するためにステップ２０５に戻り、そうでない場合には待機を続ける。
【００４６】
図３は、本発明の他の実施例によるナビゲーション情報を提供するための装置の概略ブロック図である。
【００４７】
図３に示す装置３０は、第１のモジュール３１０と、第２のモジュール３２０と、第３のモジュール３３０と、を備える。本実施例においては、第１のモジュール３１０は、ナビゲーション対象物の方向角及び位置を取得するために使用され、方向角は、ナビゲーション対象物の所定の部分によって指示される方向である。第２のモジュール３２０は、参照対象物の位置を取得するために使用される。第３のモジュール３３０は、ナビゲーション対象物の方向角及び位置と参照対象物の位置とに基づいて、アイコンエリアを生成するために使用され、アイコンエリアは、電子地図と組み合わせて使用するように適合させられており、かつ、ナビゲーション対象物に関連付けられた第１のアイコンと、参照対象物に関連付けられた第２のアイコンとを含み、参照対象物は、電子地図の現在の表示領域の内側又は外側に位置しており、第１のアイコンと第２のアイコンとの相対的な位置関係は、ナビゲーション対象物と参照対象物との相対的な位置関係に対応する。
【００４８】
ナビゲーション対象物の方位角及び位置の取得及び参照対象物の位置の取得は、装置３０内で実施されるものとしてもよく、他の実施例においては、装置３０は、アイコンエリア生成モジュール又は第３のモジュール３３０のみを含み、第１のモジュール３１０及び第２のモジュールは、装置３０の外側に配置され得ることに留意すべきである。
【００４９】
図４は、本発明の他の実施例による電子機器の概略ブロック図である。
【００５０】
図４に示す電子機器４０は、メモリ４１０と、プロセッサ４２０と、メモリ４１０に記憶されかつプロセッサ４２０上で動作し得るコンピュータプログラム４３０と、を備え、コンピュータプログラム４３０の実行は、図１Ａ乃至図１Ｄ及び図２に記載したナビゲーション情報を提供するための方法を通じて実現することができる。
【００５１】
本発明の他の態様によると、コンピュータプログラムが内部に記憶されたコンピュータ可読記憶媒体さらに提供され、当該コンピュータプログラムは、プロセッサによって実行されると、図１Ａ乃至図１Ｄ及び図２に記載したナビゲーション情報を提供するための方法を通じて実現することができる。
【００５２】
本明細書に記載された実施形態及び実施例は、本技術及びその特定の用途に従った実施例を最もよく例示し、これにより、当業者が本発明を実施及び使用することができるようにするために提供される。しかしながら、当業者であれば、上記の説明及び実施例は、単に図示及び例示を容易にするためだけに提供されていることを認識するであろう。提示された説明は、本発明の総ての側面を網羅することを意図したものではなく、又は、本発明を、開示された正確な形態に限定することを意図したものではない。
【００５３】
上記を考慮して、本開示の範囲は、以下の特許請求の範囲によって特定される。
【図１Ａ】
2021516344.tif 000003
【図１Ｂ】
2021516344.tif 000004
【図１Ｃ】
2021516344.tif 000005
【図１Ｄ】
2021516344.tif 000006
【図２】
2021516344.tif 000007
【図３】
2021516344.tif 000008
【図４】
2021516344.tif 000009
【国際調査報告】
2021516344.tif 000010
2021516344.tif 000011
2021516344.tif 000012
2021516344.tif 000013